(57)【要約】【課題】発光特性を向上させることができる面光源装置及びこれを有する液晶表示装置を提供する。【解決手段】同一平面上に互いに並んで形成される複数の放電空間を有し、互いに隣接する前記放電空間が第１距離以上に離隔されている光源本体と、前記光源本体の外面に形成され、前記放電空間と交差するように前記放電空間の長さ方向の両端部にそれぞれ形成される第１及び第２外部電極とを有する。【選択図】図１
2005340199.tif 000002
【特許請求の範囲】
【請求項１】
同一平面上に互いに並んで形成される複数の放電空間を有し、互いに隣接する前記放電空間が第１距離以上に離隔されている光源本体と、
前記光源本体の外面に形成され、前記放電空間と交差するように前記放電空間の長さ方向の両端部にそれぞれ形成される第１及び第２外部電極とを有することを特徴とする面光源装置。
【請求項２】
前記第１距離は、２ｍｍ以上であることを特徴とする請求項１に記載の面光源装置。
【請求項３】
前記光源本体は、平板形状の第１基板と、
前記第１基板と離隔され前記放電空間を形成する複数の放電空間部及び隣接する前記放電空間部の間に形成され前記第１基板と接する複数の空間分割部とからなる第２基板とを有することを特徴とする請求項１記載の面光源装置。
【請求項４】
前記各々の空間分割部は、前記第１距離と同一間隔の第１幅を有することを特徴とする請求項３記載の面光源装置。
【請求項５】
前記第１幅は、２ｍｍ〜５ｍｍであることを特徴とする請求項４記載の面光源装置。
【請求項６】
前記各々の放電空間部は、第１幅より大きい第２幅を有することを特徴とする請求項３記載の面光源装置。
【請求項７】
前記各々の空間分割部は、互いに隣接する前記放電空間を連結するための、空間分割部の一部が前記第１基板と離隔し通路空間形状をなした一つ以上の連結通路をさらに有することを特徴とする請求項３記載の面光源装置。
【請求項８】
前記連結通路は、前記放電空間部が前記第１基板と離隔される最大離隔距離より小さい離隔距離を有することを特徴とする請求項７記載の面光源装置。
【請求項９】
前記連結通路は、前記放電空間の長さ方向に対して所定の角度に傾いた斜線方向に形成されることを特徴とする請求項７記載の面光源装置。
【請求項１０】
前記連結通路は、前記放電空間の長さ方向に対して対角線方向に「Ｓ」字形状に形成されることを特徴とする請求項７記載の面光源装置。
【請求項１１】
前記連結通路は、前記空間分割部の長さ方向の中央部に形成されることを特徴とする請求項７記載の面光源装置。
【請求項１２】
前記第１及び第２外部電極各々は、長さ方向に沿って同一の電極幅を有することを特徴とする請求項１記載の面光源装置。
【請求項１３】
前記第１及び第２外部電極各々は、前記光源本体中央から長さ方向に沿って遠くなるほど電極幅が増加するよう形成されることを特徴とする請求項１記載の面光源装置。
【請求項１４】
前記光源本体は、前記光源本体の内面のうち一面に形成され前記放電空間から発生した光を反射させる反射層と、
前記光源本体の内面に形成され可視光を発生させる蛍光層とをさらに有することを特徴とする請求項１記載の面光源装置。
【請求項１５】
同一平面上に一定間隔に離隔され互いに並んで形成される複数の放電空間と、互いに隣接した前記放電空間の間に対角線方向に曲線を描きながら形成され前記放電空間を連結する連結通路とを有する光源本体と、
前記光源本体の外面に形成され、前記放電空間と交差するように前記放電空間の長さ方向の両端部にそれぞれ形成される第１及び第２外部電極とを有することを特徴とする面光源装置。
【請求項１６】
前記連結通路は、「Ｓ」字形状を有することを特徴とする請求項１５記載の面光源装置。
【請求項１７】
前記光源本体は、平板形状の第１基板と、前記第１基板と離隔され前記放電空間を形成する複数の放電空間部と、隣接する前記放電空間部の間に形成され前記第１基板と接する複数の空間分割部とからなる第２基板とを有し、
前記連結通路は、前記空間分割部各々に一つ以上形成されることを特徴とする請求項１５記載の面光源装置。
【請求項１８】
前記連結通路は、前記空間分割部の長さ方向の中央部に形成され、前記第１基板と離隔されることを特徴とする請求項１７記載の面光源装置。
【請求項１９】
同一平面上に互いに並んで形成され、相互に第１距離以上に離隔される複数の放電空間を有する光源本体と、前記光源本体の外面の両端部にそれぞれ形成され前記放電空間と交差する第１及び第２外部電極とを有する面光源装置と、
前記面光源装置から出射される光を用いて画像を表示する液晶表示パネルと、
前記面光源装置を駆動するための放電電圧を前記第１及び第２外部電極に印加するインバーターとを有することを特徴とする液晶表示装置。
【請求項２０】
前記光源本体は、平板形状の第１基板と、
前記第１基板と離隔され前記放電空間を形成する複数の放電空間部と、隣接する前記放電空間部の間に形成され前記第１基板と接する複数の空間分割部とからなる第２基板とを有することを特徴とする請求項１９記載の液晶表示装置。
【請求項２１】
前記各々の空間分割部は、前記第１距離と同一間隔の第１幅にて形成され、前記第１幅は２ｍｍ〜５ｍｍであることを特徴とする請求項２０記載の液晶表示装置。
【請求項２２】
前記各々の放電空間部は、第１幅より大きい第２幅にて形成されることを特徴とする請求項２０記載の液晶表示装置。
【請求項２３】
前記各々の空間分割部は、互いに隣接した前記放電空間を連結するための、空間分割部の一部が前記第１基板と離隔し通路空間形状をなした一つ以上の連結通路をさらに有することを特徴とする請求項２０記載の液晶表示装置。
【請求項２４】
前記連結通路は、前記空間分割部の長さ方向に対して所定の角度に傾いた斜線方向に形成されることを特徴とする請求項２３記載の液晶表示装置。
【請求項２５】
前記連結通路は、前記空間分割部の長さ方向に対して対角線方向に「Ｓ」字形状に形成されることを特徴とする請求項２３記載の液晶表示装置。
【請求項２６】
前記光源本体は、前記光源本体の内面のうち一面に形成され前記放電空間から発生した光を反射させる反射層と、
前記光源本体の内面に形成され可視光を発生させる蛍光層とをさらに有することを特徴とする請求項１９記載の液晶表示装置。
【請求項２７】
前記面光源装置を収納するための収納容器と、
前記面光源装置と前記液晶表示パネルとの間に配置される光学部材と、
前記液晶表示パネルを前記収納容器に固定するための固定部材とをさらに有することを特徴とする請求項１９記載の液晶表示装置。
【請求項２８】
前記光学部材は、前記面光源装置と所定間隔にて配置され、前記面光源装置から出射された光を拡散させる拡散板と、
前記拡散板から出射された光を前記液晶表示パネル方向に集光するための一つ以上の集光シートとを有することを特徴とする請求項２７記載の液晶表示装置。
【請求項２９】
前記インバーターは、電圧レベルは同一であり、位相が互いに反対である第１及び第２放電電圧を前記第１及び第２外部電極それぞれに印加することを特徴とする請求項１９記載の液晶表示装置。
【請求項３０】
同一平面上に一定間隔に離隔され互いに並んで形成される複数の放電空間、及び互いに隣接した前記放電空間の間に対角線方向に曲線を描きながら形成され前記放電空間を連結する連結通路を有する光源本体と、前記光源本体の外面の両端部にそれぞれ形成され前記放電空間と交差する第１及び第２外部電極とを有する面光源装置と、
前記面光源装置から出射される光を用いて画像を表示する液晶表示パネルと、
前記面光源装置を駆動するための放電電圧を前記第１及び第２外部電極に印加するインバーターとを有することを特徴とする液晶表示装置。
【請求項３１】
前記光源本体は、平板形状の第１基板と、
前記第１基板と離隔され前記放電空間を形成する複数の放電空間部と、隣接する前記放電空間部の間に形成され前記第１基板と接する複数の空間分割部とからなる第２基板とを有し、
前記連結通路は、前記各々の空間分割部に一つ以上形成されることを特徴とする請求項３０記載の液晶表示装置。
【請求項３２】
前記連結通路は、前記第１基板と離隔されて形成され、「Ｓ」字形状を有することを特徴とする請求項３１記載の液晶表示装置。
【請求項３３】
前記面光源装置を収納するための収納容器と、前記面光源装置と前記液晶表示パネルとの間に配置され、前記面光源装置から出射された光を拡散させる拡散板と、前記液晶表示パネルを前記収納容器に固定するための固定部材とをさらに有することを特徴とする請求項３０記載の液晶表示装置。
【発明の詳細な説明】
【技術分野】
【０００１】
本発明は面光源装置及びこれを有する液晶表示装置に関し、さらに詳細には輝度均一度を向上させた面光源装置及びこれを光源として使用し表示品質を向上させた液晶表示装置に関する。
【背景技術】
【０００２】
一般に、液晶表示装置は液晶を用いて画像を表示する平板表示装置の一つとして、他の表示装置に比べて薄くて軽く、低駆動電圧及び低消費電力を有するという長所があって、産業全般にかけて幅広く使用されている。
このような液晶表示装置は画像を表示するための液晶表示パネルが自発的に発光することができない非発光性素子であるので、別途の光を提供するためのバックライト組立体を必要とする。
従来のバックライト組立体は、光源として細管形状を有する冷陰極蛍光ランプ（ＣＣＦＬ）が主に使用されている。冷陰極蛍光ランプを光源として使用するバックライト組立体は、光源の位置によって、大きくエッジ型と直下型とで分類される。エッジ型は透明導光板の側面に一つまたは２つ以上の光源を配置し導光板の一面を用いて光を多重反射させることで得た光を液晶表示パネルに出射する方式であり、直下型は複数の光源を液晶表示パネルの直下部に位置させ光源の前面には拡散板を配置し、光源の背面には反射板を配置して光源から発散された光を反射、拡散させる方式である。
【０００３】
このような従来のバックライト組立体は、導光板または拡散板などの光学部材による光損失が発生して光利用効率が低く、全体構造が複雑で生産費が高く、輝度の均一性が低下するという問題点があった。
このような問題点を解消するために、最近では面形態に光を直接出射する面光源装置に対する開発が進行されつつある。面光源装置は、互いに隣接する複数の放電空間に分割された内部空間を有する光源本体、及び光源本体に放電電圧を印加するための電極を含む。このとき、それぞれの放電空間は放電ガスの均一な分布のために隣接する放電空間と一部が連通されるように形成される。このような面光源装置は外部からの電極に印加される放電電圧によってそれぞれの放電空間でプラズマ放電を起こし、これを用いて光を出射する（例えば、特許文献１参照）。
【０００４】
しかし、このような面光源装置は、プラズマ放電の際、それぞれの放電空間内部に電流成分を発生させ、それぞれの放電空間にはこのような電流成分と内部に存在する抵抗成分との掛け算に該当する電圧強化現象が発生する。理想的な場合、それぞれ放電空間で発生する電圧強化は同一でなければならないが、実際的に各放電空間に存在する抵抗成分の差異に起因して相互に偏差が発生する。このような電圧強化の差異は放電空間間に電位の差異を誘発させ、隣接した放電空間間の電位差に起因して電流がいずれか一つの放電空間の方に傾く偏流現象が発生する。このような偏流現象は面光源装置の全面発光を阻害し、輝度均一度及び表示品質を低下させるという問題点があった。
【０００５】
【特許文献１】特開２００５−０３２７２２号公報
【発明の開示】
【発明が解決しようとする課題】
【０００６】
そこで、本発明は上記従来の面光源装置における問題点に鑑みてなされたものであって、本発明の目的は、互いに隣接する放電空間間の相互干渉による偏流現象を除去して輝度均一度及び表示品質を向上させることができる面光源装置を提供することにある。
又、本発明の他の目的は、上記のような面光源装置を光源として有する液晶表示装置を提供することにある。
【課題を解決するための手段】
【０００７】
上記目的を達成するためになされた本発明による面光源装置は、同一平面上に互いに並んで形成される複数の放電空間を有し、互いに隣接する前記放電空間が第１距離以上に離隔されている光源本体と、前記光源本体の外面に形成され、前記放電空間と交差するように前記放電空間の長さ方向の両端部にそれぞれ形成される第１及び第２外部電極とを有することを特徴とする。
【０００８】
前記第１距離は、２ｍｍ以上であることを特徴とする。
前記光源本体は、平板形状の第１基板と、前記第１基板と離隔され前記放電空間を形成する複数の放電空間部及び隣接する前記放電空間部の間に形成され前記第１基板と接する複数の空間分割部とからなる第２基板とを有することを特徴とする。
前記各々の空間分割部は、前記第１距離と同一間隔の第１幅を有することを特徴とする。
前記第１幅は、２ｍｍ〜５ｍｍであることを特徴とする。
前記各々の放電空間部は、前記第１幅より大きい第２幅を有することを特徴とする。
前記各々の空間分割部は、互いに隣接する前記放電空間を連結するための、空間分割部の一部が前記第１基板と離隔し通路空間形状をなした一つ以上の連結通路をさらに有することを特徴とする。
前記連結通路は、前記放電空間部が前記第１基板と離隔される最大離隔距離より小さい離隔距離を有することを特徴とする。
前記連結通路は、前記放電空間の長さ方向に対して所定の角度に傾いた斜線方向に形成されることを特徴とする。
前記連結通路は、前記放電空間の長さ方向に対して対角線方向に「Ｓ」字形状に形成されることを特徴とする。
前記連結通路は、前記空間分割部の長さ方向の中央部に形成されることを特徴とする。
前記第１及び第２外部電極各々は、長さ方向に沿って同一の電極幅を有することを特徴とする。
前記光源本体は、前記光源本体の内面のうち一面に形成され前記放電空間から発生した光を反射させる反射層と、
前記光源本体の内面に形成され可視光を発生させる蛍光層とをさらに有することを特徴とする。
【０００９】
また、上記目的を達成するためになされた本発明による面光源装置は、同一平面上に一定間隔に離隔され互いに並んで形成される複数の放電空間と、互いに隣接した前記放電空間の間に対角線方向に曲線を描きながら形成され前記放電空間を連結する連結通路とを有する光源本体と、前記光源本体の外面に形成され、前記放電空間と交差するように前記放電空間の長さ方向の両端部にそれぞれ形成される第１及び第２外部電極とを有することを特徴とする。
【００１０】
前記連結通路は、「Ｓ」字形状を有することを特徴とする。
前記光源本体は、平板形状の第１基板と、前記第１基板と離隔され前記放電空間を形成する複数の放電空間部と、隣接する前記放電空間部の間に形成され前記第１基板と接する複数の空間分割部とからなる第２基板とを有し、前記連結通路は、前記空間分割部各々に一つ以上形成されることを特徴とする。
前記連結通路は、前記空間分割部の長さ方向の中央部に形成され、前記第１基板と離隔されることを特徴とする。
【００１１】
上記目的を達成するためになされた本発明による液晶表示装置は、同一平面上に互いに並んで形成され、相互に第１距離以上に離隔される複数の放電空間を有する光源本体と、前記光源本体の外面の両端部にそれぞれ形成され前記放電空間と交差する第１及び第２外部電極とを有する面光源装置と、前記面光源装置から出射される光を用いて画像を表示する液晶表示パネルと、前記面光源装置を駆動するための放電電圧を前記第１及び第２外部電極に印加するインバーターとを有することを特徴とする。
【００１２】
前記光源本体は、平板形状の第１基板と、前記第１基板と離隔され前記放電空間を形成する複数の放電空間部と、隣接する前記放電空間部の間に形成され前記第１基板と接する複数の空間分割部とからなる第２基板とを有することを特徴とする。
前記各々の空間分割部は、前記第１距離と同一間隔の第１幅にて形成され、前記第１幅は２ｍｍ〜５ｍｍであることを特徴とする。
前記各々の放電空間部は、前記第１幅より大きい第２幅にて形成されることを特徴とする。
前記各々の空間分割部は、互いに隣接した前記放電空間を連結するための、空間分割部の一部が前記第１基板と離隔し通路空間形状をなした一つ以上の連結通路をさらに有することを特徴とする。
前記連結通路は、前記空間分割部の長さ方向に対して所定の角度に傾いた斜線方向に形成されることを特徴とする。
前記連結通路は、前記空間分割部の長さ方向に対して対角線方向に「Ｓ」字形状に形成されることを特徴とする。
前記光源本体は、前記光源本体の内面のうち一面に形成され前記放電空間から発生した光を反射させる反射層と、
前記光源本体の内面に形成され可視光を発生させる蛍光層とをさらに有することを特徴とする。
前記面光源装置を収納するための収納容器と、前記面光源装置と前記液晶表示パネルとの間に配置される光学部材と、前記液晶表示パネルを前記収納容器に固定するための固定部材とをさらに有することを特徴とする。
前記光学部材は、前記面光源装置と所定間隔にて配置され、前記面光源装置から出射された光を拡散させる拡散板と、前記拡散板から出射された光を前記液晶表示パネル方向に集光するための一つ以上の集光シートとを有することを特徴とする。
前記インバーターは、電圧レベルは同一であり、位相が互いに反対である第１及び第２放電電圧を前記第１及び第２外部電極それぞれに印加することを特徴とする。
【００１３】
また、上記目的を達成するためになされた本発明による液晶表示装置は、同一平面上に一定間隔に離隔され互いに並んで形成される複数の放電空間、及び互いに隣接した前記放電空間の間に対角線方向に曲線を描きながら形成され前記放電空間を連結する連結通路を有する光源本体と、前記光源本体の外面の両端部にそれぞれ形成され前記放電空間と交差する第１及び第２外部電極とを有する面光源装置と、前記面光源装置から出射される光を用いて画像を表示する液晶表示パネルと、前記面光源装置を駆動するための放電電圧を前記第１及び第２外部電極に印加するインバーターとを有することを特徴とする。
【００１４】
前記光源本体は、平板形状の第１基板と、前記第１基板と離隔され前記放電空間を形成する複数の放電空間部と、隣接する前記放電空間部の間に形成され前記第１基板と接する複数の空間分割部とからなる第２基板とを有し、前記連結通路は、前記各々の空間分割部に一つ以上形成されることを特徴とする。
前記連結通路は、前記第１基板と離隔されて形成され、「Ｓ」字形状を有することを特徴とする。
前記面光源装置を収納するための収納容器と、前記面光源装置と前記液晶表示パネルとの間に配置され、前記面光源装置から出射された光を拡散させる拡散板と、前記液晶表示パネルを前記収納容器に固定するための固定部材とをさらに有することを特徴とする。
【発明の効果】
【００１５】
本発明による面光源装置及びこれを有する液晶表示装置によれば、互いに隣接した放電空間間の電気的な干渉を防止して偏流現象を除去することができ、これにより、輝度の均一度及び表示品質を向上させることができる、つまり、
面光源装置の互いに隣接した放電空間を相互間の電気的な干渉を防止するための充分な距離で離隔させることで、偏流現象などの発光不良を除去することができる効果がある。
また、隣接した放電空間を連結するための連結通路を曲線または斜線形状に形成して連結通路を増加させることで、さらに効果的に偏流現象を除去することができる効果がある。
また、比較的輝度が低く示される上端部及び下端部の放電空間と重畳される第１及び第２外部電極の電極幅を増加させることで、全体的な輝度均一度を向上させることができる効果がある。
【発明を実施するための最良の形態】
【００１６】
次に、本発明に係る面光源装置及びこれを有する液晶表示装置を実施するための最良の形態の具体例を図面を参照しながら説明する。
図１は本発明の一実施形態による面光源装置を示す斜視図であり、図２は図１に示されたＡ−Ａ’線に沿って切断した断面図であり、図３は図２のＢ部分を拡大した部分拡大図である。
図１、図２及び図３に示すように、本発明の一実施形態による面光源装置１０００は面形態に光を出射する光源本体１００、光源本体１００に放電電圧を印加するための第１及び第２外部電極２１０、２２０を含む。
【００１７】
光源本体１００は面形態に光を出射するための同一平面上に互いに並んで形成される複数の放電空間１３０を含み、互いに隣接した放電空間１３０は相互の電気的干渉を防止するために第１距離ｄ１以上に離隔するように形成される。
具体的に、光源本体１００は第１基板１１０、及び第１基板１１０と結合される第２基板１２０を含む。
第１基板１１０は矩形の平板形状を有し、一例として、可視光は透過させ紫外線は遮断する透明なガラス基板からなる。
【００１８】
第２基板１２０は第１基板１１０との結合によって放電空間１３０を形成し、一例として、第１基板１１０と同一の透明なガラス基板からなる。第２基板１２０は、第１基板１１０と離隔され放電空間１３０を形成する複数の放電空間部１２２、及び放電空間１３０間の離隔のために隣接した放電空間１３０の間に形成され第１基板１１０と接する複数の空間分割部１２４で構成される。各々の空間分割部１２４は、第１幅Ｗ１で形成され、各々の放電空間部１２２は第２幅Ｗ２で形成される。空間分割部１２４の第１幅Ｗ１が隣接した放電空間１３０間離隔距離である第１距離ｄ１と同一である。即ち、放電空間１３０間の離隔距離である第１距離ｄ１は空間分割部１２４の第１幅Ｗ１によって決定される。空間分割部１２４の第１幅Ｗ１は放電空間部１２２の第２幅Ｗ２より小さく形成することが望ましい。
【００１９】
このような形状の第２基板１２０は、一例として、成形加工によって形成される。即ち、第１基板１１０のようにプレート形状のベース基板を一定温度に加熱した後、所望する形状の金型を通じてベース基板を成形することで、放電空間部１２２と空間分割部１２４を含む第２基板１２０を得ることができる。
本実施形態において、第２基板１２０の縦断面は図２に示すように、梯形と類似した半楕円形状の放電空間部１２２が平坦な空間分割部１２４を通じて連続的に連結される形態を有する。しかし、これとは異なり、放電空間部１２４の縦断面は半円、四角形などの多様な形状を有するように形成することもできる。
【００２０】
第２基板１２０は、一例として、ガラスより低い融点を有するガラスと金属との混合物であるフリットなどの接着部材１４０を通じて第１基板１１０と結合される。即ち、第１基板１１０と第２基板１２０との間でエッジ部を取り囲むように接着部材１４０を介在させた後焼成することで、第１基板と第２基板とは互いに結合される。このとき、接着部材１４０は第１基板１１０と第２基板１２０との間のエッジ部のみに形成し、第１基板１１０と接する空間分割部１２４には形成しない。空間分割部１２４は光源本体１００の内部と外部と間の圧力差によって第１基板１１０に密着する。具体的に、第１基板１１０と第２基板１２０との結合によって形成された放電空間１３０にはプラズム放電のための多種の放電ガスが注入される。一例として、放電ガスは水銀、ネオン、アルゴン、クセノン及びクリプトンなどを含む。放電空間１３０に存在する放電ガスのガス圧は約５０Ｔｏｒｒ程度で、外部大気圧である７６０Ｔｏｒｒと比較して圧力差が発生する。このような圧力差によって光源本体１００の外部から内部に向かう力が発生し、このような力によって空間分割部１２４は第１基板１１０と密着する。
【００２１】
本発明において、空間分割部１２４の第１幅Ｗ１、即ち、放電空間１３０間の離隔距離は互いに隣接する放電空間１３０の相互の電気的な干渉を防止することができる最小限の範囲に設定される。放電空間１３０間の離隔距離が増加するほど隣接する放電空間１３０間に形成される電気場の強度が減少され、これにより相互間の電気的干渉が減少され偏流減少等により不良が発生しない。本発明においては、放電空間１３０間の離隔距離を増加させるために空間分割部１２４の第１幅Ｗ１を増加させる。しかし、空間分割部１２４の第１幅Ｗ１が一定範囲を超えると、実質的に光を出射しない領域が増加し光源本体１００の全体的に出射される光の輝度均一度が低下してしまうという問題が発生する。従って、空間分割部１２４の第１幅Ｗ１は放電空間１３０間の電気的な干渉を防止しながら輝度均一度を保持することができる範囲を有することが望ましい。
【００２２】
例えば、空間分割部１２４の第１幅Ｗ１は放電空間１３０間の電気的な干渉を防止するために約２ｍｍ以上に形成され、輝度の均一度のために約５ｍｍ以下に形成される。即ち、空間分割部１２４は約２ｍｍ〜約５ｍｍの範囲に形成され偏流現象を防止すると同時に輝度の均一度を保持することができる。このとき、放電空間部１２２の第２幅Ｗ２は第１幅Ｗ１より大きくなるように約１０ｍｍ〜約１２ｍｍの大きさに形成される。
本発明において、互いに隣接した放電空間１３０が第１距離ｄ１以上に離隔されることにより、同一のサイズに対して従来に比べて放電空間１３０の個数が減少する。このような光源本体１００に従来と同一の放電電圧が印加される場合、それぞれの放電空間１３０に印加される放電電圧は増加する。これにより、光源本体１００が出射する光の全体的な輝度は従来と同一に保持されるが、それぞれの放電空間１３０に流れる電流量は従来と比べて増加する。このようにそれぞれの放電空間１３０に流れる電流量が増加することによって、面光源装置１０００の駆動の際、各放電空間１３０の温度が増加し、このような温度の増加は低温駆動の際に水銀蒸気圧の減少に起因して発生する中央部暗部化などの不良を除去して面光源装置１０００の発光特性を向上させる。
【００２３】
図１に示すように、光源本体１００の外面には第１及び第２外部電極２１０、２２０が形成される。第１及び第２外部電極２１０、２２０は全ての放電空間１３０と交差するように放電空間１３０の長さ方向の両端部にそれぞれ形成される。第１及び第２外部電極２１０、２２０それぞれは一定の電極幅ＥＷを有する帯形状で第１及び第２基板１１０、１２０を取り囲むように形成される。
第１及び第２外部電極２１０、２２０は、導電性の優れた材質、例えば、銅、ニケッル、銀、金、アルミニウム、クロムなどからなる金属パウダーをスプレイコーティングする方法によって形成される。即ち、光源本体１００の外面中第１及び第２外部電極２１０、２２０の形成位置のみを除いた領域にマスクを配置した後、第１及び第２外部電極２１０、２２０の形成位置に金属パウダーをスプレイ方法にてコーティングした後、マスクを除去することで、第１及び第２外部電極２１０、２２０が形成される。これとは異なり、第１及び第２外部電極２１０、２２０をアルミニウムテープを張るか、又は、銀ペーストのコーティング等によっても形成することができる。また、第１及び第２外部電極２１０、２２０は透明な導電性物質、例えば、インジウム錫酸化物（ＩＴＯ）またはインジウム亜鉛酸化物（ＩＺＯ）から形成することもできる。このように、第１及び第２外部電極２１０、２２０が透明な物質からなる場合、第１及び第２外部電極２１０、２２０が実際に画像の表示に影響を及ぶ有効発光領域内部まで形成されてもこれによる暗部などの表示不良を防止することができる。
【００２４】
このような第１及び第２外部電極２１０、２２０は外部から印加される放電電圧を光源本体１００に印加して放電空間１３０にプラズマを発生させる。
本実施形態において、第１及び第２外部電極２１０、２２０は第１及び第２基板１１０、１２０の外面を取り囲むように形成されるが、これとは異なり、第１及び第２外部電極２１０、２２０は第１基板１１０の外面、または第２基板１２０の外面のみに形成することもできる。
図３に示すように、光源本体１００は内面に形成される第１蛍光層１６０、第２蛍光層１７０及び反射層１８０をさらに含む。第１及び第２蛍光層１６０、１７０は第１及び第２基板１１０、１２０の内面にそれぞれ形成される。第１及び第２蛍光層１６０、１７０は放電空間１３０でプラズマ放電を通じて発生した紫外線によって励起され可視光線を放出する。反射層１８０は第１基板１１０と第１蛍光層１６０との間に形成される。反射層１８０は第１及び第２蛍光層１６０、１７０によって発生した可視光線を第２基板１２０側に反射させ第１基板１１０側に光が漏洩されることを防止する。
【００２５】
また、光源本体１００は第２基板１２０と第２蛍光層１７０との間及び／または第１基板１１０と反射層１８０との間に形成する保護層（図示せず）をさらに含むことができる。保護層は第１または第２基板１１０、１２０と放電ガスの主成分である水銀との化学的な反応を防止して水銀の損失及び黒化現象を防止する。
一方、それぞれの空間分割部１２４には互いに隣接する放電空間１３０を連結するための連結通路１５０が形成される。
【００２６】
図４は図１に示したＣ部分を拡大した部分拡大図であり、図５は図４のＤ−Ｄ’線に沿って切断した断面図である。
図４及び図５に示すように、連結通路１５０はそれぞれの空間分割部１２４に少なくとも一つ以上が形成される。それぞれの連結通路１５０は互いに隣接した放電空間１３０を連結するために第１基板１１０と結合の際、第２基板１２０の一部が第１基板１１０と所定距離に離隔するように形成される。連結通路１５０は放電空間１３０の長さ方向に対して対角線方向に曲線を描きながら形成される。一例として、連結通路１５０は放電空間１３０の長さ方向に対して対角線方向に「Ｓ」字形状を有するように形成される。連結通路１５０の形状を「Ｓ」字形状に形成することで、連結通路１５０の長さは放電空間１３０間の離隔距離、即ち、空間分割部１２４の第１幅Ｗ１より大きくなる。このように、連結通路１５０の長さを増加させることによって、各放電空間１３０に流れる電流が隣接した他の放電空間１３０に移動することができる経路が長くなり、偏流現象などの不良発生をさらに効果的に防止することができる。
【００２７】
本実施形態において、連結通路１５０は各空間分割部１２４の長さ方向の中央部に一つが形成される。連結通路１５０は空間分割部１２４の第１幅Ｗ１より小さい第３幅Ｗ３を有し、放電空間部１２２が第１基板１１０と最大に離隔される第１最大離隔距離ＭＤ１より小さい第２最大離隔距離ＭＤ２を有するように形成される。一例として、連結通路１５０は約１ｍｍ〜約３ｍｍ程度の第３幅Ｗ３を有し、約１ｍｍ〜約２ｍｍ程度の第２最大離隔距離ＭＤ２に形成される。このような形状の連結通路１５０は第２基板１２０の成形加工の際、空間分割部１２４に比べてより少なく陥没させることによって得ることができる。
【００２８】
従って、いずれか一つ以上の放電空間１３０に注入される放電ガスは連結通路１５０を通じて他の放電空間１３０に移動され、時間経過とともにすべての放電空間１３０には放電ガスが均一なガス圧で分布されるようになる。
図６は図４に示した連結通路１５０の他の実施形態を示す図面である。本実施形態において、連結通路を除いた残りの構成は図４に示したのと同一であるので、同一の構成要素には同一の図面符号を使用し、その他重複される詳細な説明は省略することにする。
【００２９】
図６に示すように、他の実施形態による連結通路２５０は空間分割部１２４の長さ方向に対して所定角度に傾いた斜線方向に形成される。連結通路２５０はそれぞれの空間分割部１２４に少なくとも一つ以上が形成される。連結通路２５０は空間分割部１２４の長さ方向に垂直な方向に配列される。連結通路２５０は空間分割部１２４の第１幅Ｗ１より小さい幅を有し、放電空間部１２２の最大離隔距離ＭＤ１より小さい最大離隔距離を有する。このように、連結通路２５０が斜線方向に形成されることによって、連結通路２５０の長さは空間分割部１２４の第１幅Ｗ１より大きくなる。
本発明において、連結通路１５０は「Ｓ」字形状または斜線形状を例として説明したが、他にも、連結通路１５０の長さが第１幅Ｗ１より増加させることさえできれば、多様な形状に変更が可能である。
【００３０】
図７は、面光源装置の他の実施形態を示す平面図である。本実施形態において、連結通路を除いた残りの構成は図１に示したものと同一であるので、同一の構成要素については同一の図面符号を使用し、その他重複される詳細な説明は省略する。
図７に示すように、連結通路３５０はそれぞれの空間分割部１２４に一つずつ形成され、空間分割部１２４の中央を基準にしてジグザグ形態に配列されるように形成される。即ち、互いに隣接した空間分割部１２４に形成される連結通路３５０中で、一つの連結通路３５０は空間分割部１２４の中央を基準にして第１外部電極２１０側に傾いて形成され、他の一つの連結通路３５０は空間分割部１２４の中央を基準にして第２外部電極２２０側に傾いて形成される。
【００３１】
このように、連結通路３５０をジグザグ形態に配列させることによって、放電ガスの移動経路はさらに増加され、放電空間１３０間の相互干渉をより効果的に防止することができる。
本実施形態において、連結通路３５０は「Ｓ」字形状または斜線形状に形成されることができ、他にも、第１幅Ｗ１より長い長さを有する多様な形状に形成することができる。
また、連結通路３５０はそれぞれの空間分割部１２４に一つ以上形成されるのであれば、配列位置に関係なしに不規則的に形成してもかまわない。
図８は面光源装置の他の実施形態を示す平面図である。本実施形態において、第１及び第２外部電極を除いた残りの構成は図１に示したのと同一であるので、同一の構成要素については同一の図面符号を使用し、その他重複される詳細な説明は省略することにする。
【００３２】
図８に示すように、第１及び第２外部電極３１０、３２０は光源本体１００の両端部に互いに対称的に形成される。第１及び第２外部電極３１０、３２０それぞれは、長さの方向に対して電極幅ＥＷが変化するように形成する。第１及び第２外部電極３１０、３２０は放電空間１３０のうち比較的輝度が均一に示される中央部位の放電空間１３０と重畳される領域では一定の電極幅ＥＷに形成され、比較的輝度が低く示される放電空間１３０列の両端部の放電空間１３０と重畳される領域では中央の電極幅ＥＷより増加するように形成する。
具体的に、第１及び第２外部電極３１０、３２０それぞれの電極幅ＥＷは中央から放電空間１３０の長さ方向に直角な両方向に所定の第１地点までは一定の電極幅ＥＷに形成されるが、第１地点から端部位まで電極幅ＥＷを漸次的に増加させる。ここで、電極幅ＥＷは第１地点から端部位に近づくほど階段形状を増加させる。また、これとは異なり、電極幅ＥＷは扇形的に増加させることもできる。
【００３３】
一般的に、面光源装置１０００から出射される光の輝度は放電空間１３０中で放電空間１３０列の両端に位置する放電空間１３０、即ち、光源本体１００の外郭と最も隣接した放電空間１３０の輝度が他の放電空間１３０の輝度に比べて減少される。これは外郭に位置する放電空間１３０であるほど外部の他の構成要素と反応して電流の漏洩が生じるからである。
それぞれの放電空間１３０に流れる電流量は第１及び第２外部電極３１０、３２０の面積変化による静電容量によって決定される。即ち、静電容量が増加することによって、飽和電流以下の水準では発生する光の輝度が静電容量に比例して増加する。従って、比較的輝度が低く示される放電空間１３０列の両端の放電空間１３０と重畳される第１及び第２外部電極３１０，３２０の電極幅ＥＷを増加させ、放電空間１３０列の両端に位置する放電空間１３０の輝度低下を防止する。このように、第１及び第２外部電極３１０、３２０の電極幅ＥＷを面光源装置１０００の発光特性によって変化させることによって、全体的に輝度均一度を向上させることができる。一方、第１及び第２外部電極３１０、３２０の形状は所望する輝度及び輝度均一度によって多様な幾何学的な形態への変更が可能である。
【００３４】
図９は本発明の一実施形態による液晶表示装置を示す分解斜視図である。本実施形態において、面光源装置は図１ないし図８を参照して説明したのと同一な構成を有するので、面光源装置に対する重複する説明は省略する。
図９に示すように、本発明の一実施形態による液晶表示装置２０００は光を発生する面光源装置１０００、画像を表示するための表示ユニット４００及び放電電圧を発生するインバーター５００を含む。
【００３５】
表示ユニット４００は、画像を表示する液晶表示パネル４１０、液晶表示パネル４１０を駆動するための駆動信号を提供するデータ及びゲート印刷回路基板４２０、４３０を含む。データ及びゲート印刷回路基板４２０、４３０から提供される駆動信号はデータ可撓性回路フィルム４４０及びゲート可撓性回路フィルム４５０を通じて液晶表示パネル４１０に印加する。データ及びゲート可撓性回路フィルム４４０、４５０は、一例として、テープキャリアパッケージ（ＴＣＰ）またはチップオンフィルム（ＣＯＦ）からなる。また、データ及びゲート可撓性回路フィルム４４０、４５０それぞれはデータ及びゲート印刷回路基板４２０、４３０から提供される駆動信号を適切なタイミングで液晶表示パネル４１０に印加するための駆動信号を制御するデータ及びゲート駆動チップ４４２、４５２を含む。
【００３６】
液晶表示パネル４１０は２つの基板４１２、４１４の間に介在された液晶４１６を用いて画像を表示する。例えば、液晶表示パネル４１０は薄膜トランジスタ（以下、ＴＦＴと称する）基板４１２、ＴＦＴ基板４１２と対向して結合されるカラーフィルター基板４１４及び２つの基板４１２、４１４の間に介在された液晶４１６を含む。
ＴＦＴ基板４１２はスイッチング素子であるＴＦＴ（図示せず）がマトリックス形態に形成された透明なガラス基板である。ＴＦＴのソース及びゲート端子にはそれぞれデータ及びゲートラインが連結され、ドレイン端子には透明な導電性材質からなる画素電極（図示せず）が連結される。
【００３７】
カラーフィルター基板４１４は色画素であるＲ、Ｇ、Ｂ画素（図示せず）が薄膜工程によって形成された基板である。カラーフィルター基板４１４には透明な導電性材質からなる共通電極（図示せず）が形成される。
このような構成を有する液晶表示パネル４１０はＴＦＴのゲート端子に電源が印加されＴＦＴがターンオンされると、画素電極と共通電極との間には電界が形成される。このような電界によってＴＦＴ基板４１２とカラーフィルター基板４１４との間に介在された液晶４１６の配列が変化し、液晶４１６の配列変化によって面光源装置１０００から供給される光の透過度が変更され、所望する階調の画像を得るようになる。
【００３８】
インバーター５００は、面光源装置１０００を駆動するための放電電圧を発生させる。インバーター５００は外部から印加される交流電圧を面光源装置１０００の駆動のための放電電圧に昇圧させ出力する。インバーター５００から発生した放電電圧は第１及び第２電源線５１０、５２０を通じて面光源装置１０００の第１及び第２外部電極２１０、２２０にそれぞれ印加される。一例として、放電電圧は第１及び第２外部電極２１０、２２０にそれぞれ印加される第１及び第２放電電圧に区分され、このとき、第１及び第２放電電圧は電圧レベルは同じであるが互いに位相が反対である交流電圧からなる。
【００３９】
一方、液晶表示装置２０００は面光源装置１０００を収納するための収納容器６００、面光源装置１０００から出射される光の経路を変更するための光学部材７００及び液晶表示パネル４１０を固定するための固定部材８００をさらに含む。
収納容器６００は、面光源装置１０００を収納するために底部６１０、及び底部６１０の端部位から収納空間を形成するために垂直に延長された複数の側壁６２０からなる。収納容器６００は面光源装置１０００の収納の際、面光源装置１０００との絶縁のための絶縁部材（図示せず）をさらに含むことができる。
【００４０】
光学部材７００は、面光源装置１０００と液晶表示パネル４１０との間に配置される。光学部材７００は面光源装置１０００から出射される光の経路を変更させ、輝度均一度を向上させたり、正面輝度を向上させる役割を遂行する。これのために、光学部材７００は面光源装置１０００から出射される光を拡散させるための拡散板（図示せず）を含む。拡散板は所定の厚さを有するプレート形状からなり、面光源装置１０００と所定間隔に離隔され配置される。光学部材７００は拡散板の上部に配置される一つ以上の集光シート（図示せず）をさらに含むことができる。集光シートは拡散板から出射される光を液晶表示パネル４１０方向に集光して光の正面輝度を向上させることができる。
固定部材８００は液晶表示パネル４１０の端部位を取り囲みながら収納容器６００に結合され液晶表示パネル４１０を光学部材７００の上部に固定する。このような固定部材８００は外部衝撃による液晶表示パネル４１０の破損を防止し、液晶表示パネル４１０が収納容器６００から離脱されることを防止する。
【００４１】
尚、本発明は、上述の実施形態の例に限られるものではない。本発明の技術的範囲から逸脱しない範囲内で多様に変更実施することが可能である。
【図面の簡単な説明】
【００４２】
【図１】本発明の一実施形態による面光源装置を示す斜視図である。
【図２】図１に示したＡ−Ａ’線に沿って切断した断面図である。
【図３】図２のＢ部分を拡大した部分拡大図である。
【図４】図１に示したＣ部分を拡大した部分拡大図である。
【図５】図４のＤ−Ｄ’線に沿って切断した断面図である。
【図６】連結通路の他の実施形態を示す図面である。
【図７】本発明による面光源装置の他の実施形態を示す平面図である。
【図８】本発明による面光源装置の他の実施形態を示す平面図である。
【図９】本発明の一実施形態による液晶表示装置を示す分解斜視図である。
【符号の説明】
【００４３】
１００      光源本体
１１０      第１基板
１２０      第２基板
１２２      放電空間部
１２４      空間分割部
１３０      放電空間
１４０      接着部材
１５０、２５０、３５０  連結通路
１６０      第１蛍光層
１７０      第２蛍光層
１８０      反射層
２１０      第１電極
２２０      第２電極
４１０      液晶表示パネル
４１２      薄膜トランジスタ（ＴＦＴ）基板
４１４      カラーフィルター基板
４１６      液晶
４２０      データ印刷回路基板
４３０      ゲート印刷回路基板
４４０      データ可撓性回路フィルム
４４２      データ駆動チップ
４５０      ゲート可撓性回路フィルム
４５２      ゲート駆動チップ
５００      インバーター
５１０      第１電源線
５２０      第２電源線
６００      収納容器
６１０      底部
６２０      側壁
７００      光学部材
８００      固定部材
１０００      面光源装置
２０００      液晶表示装置
【図１】
2005340199.tif 000003
【図２】
2005340199.tif 000004
【図３】
2005340199.tif 000005
【図４】
2005340199.tif 000006
【図５】
2005340199.tif 000007
【図６】
2005340199.tif 000008
【図７】
2005340199.tif 000009
【図８】
2005340199.tif 000010
【図９】
2005340199.tif 000011